(57)【要約】      （修正有）【課題】主食物と副食物とが別々に入れられる複数の食品容器を一緒に収まりよくカバンその他の袋物に入れて携行もできる一方、食品容器に収納不能なサイズの大型食品を損傷させることなく他の食品を納めた食品容器と一緒に収まりよくカバンその他の袋物に入れて携行もできる食品携行容器セットを提供する。【解決手段】外部ケース３の格納空間内には、そこに多段容器群７のうち最下段の食品容器２Ｃのみを格納すると、当該食品容器２Ｃの密閉蓋６と外部ケース３のケース本体８の天井面との間に予備空間が形成される。予備空間は、市販食品などの食品容器２に収納不能なサイズの大型食品を格納するための空間であり、かかる予備空間に大型食品が格納されることで、大型食品を損傷させることなく、他の食品を納めた最下段の食品容器２Ｃと一緒に収まり良くカバンに入れて携行できる。【選択図】図５
0003158183.tif 000002
【実用新案登録請求の範囲】
【請求項１】
カバンその他の袋物に入れて携行可能な食品携行容器セットにおいて、
食品が納められる保存空間を有する容器本体と、その容器本体の保存空間の開口部を密閉閉塞する密閉蓋とを有する複数の食品容器であって、その複数の食品容器を上下方向に多段状に積重した多段容器群と、
その多段容器群が嵌め込まれて格納される格納空間を内部に有しているケース本体と、そのケース本体の壁面の一部に前記格納空間と連通して開口形成され前記多段容器群を前記格納空間へ挿脱する取出し口と、その取出し口を閉塞する開閉蓋とを有する外部ケースとを備えており、
その外部ケースの前記ケース本体内に前記多段容器群全体が嵌め込まる状態で格納されている第１の使用態様と、
その外部ケースの前記格納空間に前記多段容器群のうち最下段の食品容器のみが嵌め入れ格納される状態であって、前記ケース本体内における前記最下段の食品容器の上方に設けられ、前記複数の食品容器の保存空間には収納不能なサイズの大型食品を格納可能な容積を有する予備空間とを備えている第２の使用態様と、のそれぞれの使用態様にて使用可能に形成されていることを特徴とする食品携行容器セット。
【請求項２】
前記格納空間における前記多段容器群の挿入方向に対する直交方向両側から互いに対向して凸設され、前記格納空間内に格納される前記最下段の食品容器における前記密閉蓋の横幅方向両端部の上方に覆い被さるように設けられ、その最下段の食品容器を前記ケース本体の下面部壁板との間に挟み込み、その最下段の食品容器の上下動を規制する規制部材を備えていることを特徴とする請求項１記載の食品携行容器セット。
【請求項３】
前記規制部材は、前記格納空間における前記多段容器群の挿入方向に延設され、その多段容器群のうち前記最下段の食品容器を前記ケース本体の下面部壁板との間に摺動可能に挟み込み、その多段容器群の挿入方向及び反挿入方向へ向かう移動を案内誘導するものであることを特徴とする請求項２記載の食品携行容器セット。
【請求項４】
前記ケース本体における前記多段容器群の挿入方向に対する直交方向両側及び反取出し口側にある壁板とそのケース本体の前記格納空間内に格納される前記食品容器における前記容器本体の周壁板との間に設けられる所定幅の隙間であって、その格納空間に対する前記多段容器群の出し入れ動作に伴って前記格納空間内外の通気を行う通気路を備えていることを特徴とする請求項１から３のいずれかに記載の食品携行容器セット。
【請求項５】
前記ケース本体の壁板のうち反取出し口側にある壁板には、前記最下段の食品容器における前記容器本体の周壁板との対向箇所に前記格納空間に貫通する貫通孔が穿設されていることを特徴とする請求項１から４のいずれかに記載の食品携行容器セット。
【考案の詳細な説明】
【技術分野】
【０００１】
本考案は、カバンその他の袋物に入れて携行可能な食品携行容器セットに関するものである。
【背景技術】
【０００２】
従来のランチボックスの使用例には、米飯などの主食物を一のランチボックスに入れ、その他に副食物を他のランチボックスに入れて、これらをまとめてカバンその他の袋物に入れて携行するような態様のものがある。
【０００３】
また、このような態様の使用例にあっては、カバンに入れられた各ランチボックスがバラバラではカバンの中身を上手く整理できないことから、ランチボックスの収まりを良くするため、複数のランチボックスを上下に多段積重して、これを布等で包むこともしばしば行われている。
【０００４】
かかる使用例のごとく、主食物が単なる米飯であれば、それをランチボックスにただ詰め込めば十分に事足りるものと考えられる。ところが、主食物が単なる米飯ではなくてサンドイッチやおにぎり（おむすび）であるような場合は、その事情も多少異なってくるものと考えられる。例えば、主食物が手作りのサンドイッチやおにぎりであれば、これらを好みの大きさ調理することで、ランチボックスに詰込むことも可能ではある。
【０００５】
しかし、主食物となるサンドイッチやおにぎりがコンビニエンスストアーなどで販売されている市販食品（包装の有無は問わない。以下同じ。）のものである場合については、これらがランチボックスに格納して携行されることは一般的に稀である。
【０００６】
けだし、これは、市販食品の多くのものが包装済みであることも要因の一つであると思われるが、それに加えて、サンドイッチやおにぎりなどの市販食品の標準的なサイズ（後に「市販サイズ」ともいう。）が、１人１食分のランチボックスの一般的な容量サイズ（容積）に比べて大きいことも、その重要な要因の一つであると考えられる。
【０００７】
もっとも、このような市販食品でも大型のランチボックスに格納すれば携行することはできる。しかし、このような大型のランチボックスは、一般的に行楽用に多数人分の食料を格納可能な大容量サイズのものであり、市販のサンドイッチやおにぎりであれば優に２〜３個以上を格納でき、１人１食分程度の食料を格納するには容量が大きく、かつ、携行するにも嵩張ってしまうものである。
【０００８】
したがって、サンドイッチやおにぎりなどの市販食品を主食物として携行する場合には、主食物用及び副食物用のランチボックスを上下に積み重ねてカバンに入れて携行するような訳にはいかず、副食物が入ったランチボックスと主食物たる市販食品とをバラバラににカバンに入れたり、或いは、主食物である市販食品をランチボックスの上に載せて布等で包むなどすることが多く行われている。
【０００９】
また、サンドイッチ、おにぎり、ハンバーガー、ホットドックなどの市販食品であっても予め密封包装されたものであれば、多少収まりが悪くても、カバンの中にある他の物品を汚損させることも極めて稀と考えられるためか、布等で包まずにそのままカバンの中に入れて携行されることも多く行われている様である。
【考案の概要】
【考案が解決しようとする課題】
【００１０】
しかしながら、上記したサンドイッチ、おにぎり、ハンバーガー、ホットドックなどの市販食品は、１人１食分程度の容量サイズを有するランチボックスに収納可能な食品に比べると、そのサイズが大きな大型食品であって嵩張るものであるため、そのままカバンの中に入れるにしても、布に包んでカバンの中に入れるにしても、これらを上手く収納することが難しいという問題点があった。
【００１１】
また、このようなランチボックスに収まりきらない大型食品となるサンドイッチ等の市販食品は、概して潰れて損傷し易い食材が使用されているということもあり、そのまま又は布で包んでカバンの中に入れて携行すると、カバンの外から何らかの力が加わった場合にカバンの中で押し潰されて損傷してしまうという問題点があった。
【００１２】
本考案は、上述した問題点を解決するためになされたものであり、主食物と副食物とが別々に入れられる複数の食品容器を一緒に収まりよくカバンその他の袋物に入れて携行もできる一方、食品容器に収納不能なサイズの大型食品を損傷させることなく他の食品を納めた食品容器と一緒に収まりよくカバンその他の袋物に入れて携行もできる食品携行容器セットを提供することを目的としている。
【課題を解決するための手段】
【００１３】
この目的を達成するために請求項１の食品携行容器セットは、カバンその他の袋物に入れて携行可能なものであり、食品が納められる保存空間を有する容器本体と、その容器本体の保存空間の開口部を密閉閉塞する密閉蓋とを有する複数の食品容器であって、その複数の食品容器を上下方向に多段状に積重した多段容器群と、その多段容器群が嵌め込まれて格納される格納空間を内部に有しているケース本体と、そのケース本体の壁面の一部に前記格納空間と連通して開口形成され前記多段容器群を前記格納空間へ挿脱する取出し口と、その取出し口を閉塞する開閉蓋とを有する外部ケースとを備えており、その外部ケースの前記ケース本体内に前記多段容器群全体が嵌め込まる状態で格納されている第１の使用態様と、その外部ケースの前記格納空間に前記多段容器群のうち最下段の食品容器のみが嵌め入れ格納される状態であって、前記ケース本体内における前記最下段の食品容器の上方に設けられ、前記複数の食品容器の保存空間には収納不能なサイズの大型食品を格納可能な容積を有する予備空間とを備えている第２の使用態様と、のそれぞれの使用態様にて使用可能に形成されているものである。
【００１４】
請求項２の食品携行容器セットは、請求項１の食品携行容器セットにおいて、前記格納空間における前記多段容器群の挿入方向に対する直交方向両側から互いに対向して凸設され、前記格納空間内に格納される前記最下段の食品容器における前記密閉蓋の横幅方向両端部の上方に覆い被さるように設けられ、その最下段の食品容器を前記ケース本体の下面部壁板との間に挟み込み、その最下段の食品容器の上下動を規制する規制部材を備えているものである。
【００１５】
請求項３の食品携行容器セットは、請求項２の食品携行容器セットにおいて、前記規制部材は、前記格納空間における前記多段容器群の挿入方向に延設され、その多段容器群のうち前記最下段の食品容器を前記ケース本体の下面部壁板との間に摺動可能に挟み込み、その多段容器群の挿入方向及び反挿入方向へ向かう移動を案内誘導するものである。
【００１６】
請求項４の食品携行容器セットは、請求項１から３のいずれかの食品携行容器セットにおいて、前記ケース本体における前記多段容器群の挿入方向に対する直交方向両側及び反取出し口側にある壁板とそのケース本体の前記格納空間内に格納される前記食品容器における前記容器本体の周壁板との間に設けられる所定幅の隙間であって、その格納空間に対する前記多段容器群の出し入れ動作に伴って前記格納空間内外の通気を行う通気路を備えているものである。
【００１７】
請求項５の食品携行容器セットは、請求項１から４のいずれかの食品携行容器セットにおいて、前記ケース本体の壁板のうち反取出し口側にある壁板には、前記最下段の食品容器における前記容器本体の周壁板との対向箇所に前記格納空間に貫通する貫通孔が穿設されているものである。
【００１８】
これらの請求項１から５の食品携行容器セットによれば、携行する食品が個々の食品容器に収納可能なサイズである場合には、下記する第１の使用態様によって使用することができ、携行する食品の一部が複数ある食品容器のいずれにも収納不能なサイズの大型食品である場合には、下記する第２の使用態様によって使用することができる。
【００１９】
例えば、携行する食品が個々の食品容器に収納可能なサイズである場合、即ち、第１の使用態様においては、複数の食品容器の容器本体の保存空間内に食品がそれぞれ納められ、個々の容器本体における保存空間の開口部が密閉蓋により密閉閉塞される。複数の食品容器は上下方向に多段状に積重されることで多段容器群となり、この多段容器群の形態のまま外部ケースのケース本体内に格納される。
【００２０】
多段容器群は、ケース本体の取出し口から格納空間へ挿入されて、その格納空間内に嵌め込まれ、ケース本体の取出し口が開閉蓋により閉塞されることによって、外部ケース内に被包された状態で格納される。結果、複数の食品容器が外部ケースに一まとめになって格納されるので、カバンの中で上下多段状に積み重なった複数の食品容器が崩れることが防止された状態で収まりよく携行される。
【００２１】
一方、携行する食品の一部が複数の食品容器のいずれにも収納不能なサイズの大型食品である場合、即ち、第２の使用態様においては、食品容器に収納可能なサイズの食品が多段容器群の最下段に相当する食品容器に収納され、かかる食品容器のみが取出し口からケース本体の格納空間内へ挿入される。
【００２２】
すると、格納空間内は、多段容器群のうち最下段の食品容器のみが嵌め入れて格納された状態、即ち、格納空間から最下段の食品容器を除くその他の食品容器が取り去られた状態となり、結果、ケース本体内には、最下段の食品容器の上方に予備空間が設けられることとなる。
【００２３】
この予備空間は、最下段の食品容器を除く残りの食品容器を上下多段状に積重したものに相当する容量を有する空間であり、複数ある食品容器の保存空間のいずれにも収まりきらないサイズの大型食品を格納可能な容積を有している。
【００２４】
したがって、この予備空間内に大型食品を格納してケース本体の取出し口を開閉蓋により閉塞することによって、個々の食品容器には収まり切らない大型食品でも外部ケースに格納されて被包される。結果、大型食品は、その損傷が防がれつつ、カバンその他の袋物に収まりよく入れられて携行せれる。
【考案の効果】
【００２５】
本考案の食品携行容器セットによれば、その第１の使用態様では、主食物と副食物とが別々に入れられる複数の食品容器を外部ケース内に嵌め込んで開閉蓋で閉じ込むことで、複数の食品容器が崩れさせずに収まりよく、カバンその他の袋物内に入れて携行できるという効果がある。しかも、その第２の使用態様では、食品容器には収納不能なサイズの大型食品を、他の食品を納めた食品容器と一緒に外部ケースに格納して被包することによって、これを損傷させることなく、食品容器と一緒に収まりよく、カバンその他の袋物に入れて携行できるという効果がある。
【００２６】
また、請求項２の食品携行容器セットによれば、予備空間内に大型食品を格納した場合に、最下段に格納される食品容器が当該食品を載置する台座としての役割を担うが、このとき、他の食品容器がケース本体内に存在しなくても、格納空間内に残っている最下段の食品容器が外部ケース内で上下動してガタつくことを規制部材により防止でき、かかる最下段の食品容器の上下動が原因で予備空間にある大型食品が押し潰されて損傷することを防止できるという効果がある。
【００２７】
また、請求項３の食品携行容器セットによれば、多段容器群は、その最下段にある食品容器が規制部材とケース本体の下面部壁板との間に摺動可能に挟み込まれることで、格納空間への挿脱に伴う移動が案内誘導されるので、格納空間に対してスムーズに出し入れできるという効果がある。
【００２８】
また、請求項４の食品携行容器セットによれば、多段容器群がケース本体内から取り出される場合には、通気路を介してケース本体内へ空気を流入させるので、格納空間内の負圧化が抑制され、多段容器群の引き出しに伴う抵抗力を軽減できるという効果がある。また、多段容器群がケース本体内へ押し込まれる場合には、通気路を介してケース本体内から空気を排出させるので、格納空間内の正圧化が抑制され、多段容器群の押し込みに伴う抵抗力を軽減できるという効果がある。
【００２９】
また、請求項５の食品携行容器セットによれば、貫通孔から指を挿入してケース本体内に格納されている最下段の食品容器を取出し口側へ押し出すことができ、多段容器群の格納空間からの取出し行い易くなるという効果がある。
【００３０】
さらに、貫通孔は、ケース本体内から多段容器群を引き出す際にケース本体内へ空気を流入させる通気路となり、かつ、ケース本体内へ多段容器群を押込む際にケース本体内から空気を排出させる通気路ともなる。したがって、多段容器群の引き出しに伴って格納空間内が負圧化することを抑制でき、かつ、多段容器群の押し込みに伴って格納空間内が正圧化することを抑制できるので、多段容器の引き出し及び押し込みに伴う抵抗力を軽減できるという効果がある。
【図面の簡単な説明】
【００３１】
【図１】本考案の一実施例であるランチボックスセットの分解斜視図である。
【図２】外部ケースの横断面図であって、ケース本体から開閉蓋を取り外した状態を示した図である。
【図３】多段容器群を格納空間に格納している外部ケースのケース本体の正面図である。
【図４】ランチボックスセットの左側面図であって、外部ケースのケース本体から開閉蓋を取り外した状態を示した図である。
【図５】図４に示したランチボックスセットの縦断面図である。
【図６】外部ケースの背面図である。
【図７】ランチボックスセットの内部を透視した斜視図である。
【図８】第２実施例のランチボックスセットの分解斜視図である。
【図９】第３実施例のランチボックスセットの分解斜視図である。
【図１０】第４実施例のランチボックスセットの外部ケースの横断面図であって、ケース本体から開閉蓋を取り外した状態を示した図である。
【図１１】第４実施例のランチボックスセットの左側面図であって、外部ケースのケース本体から開閉蓋を取り外した状態を示した図である。
【図１２】図１１に示したランチボックスセットの縦断面図である。
【考案を実施するための形態】
【００３２】
以下、本考案の好ましい実施の形態について、添付図面を参照して説明する。図１は、本考案の食品携行容器セットの一実施例であるランチボックスセット１の分解斜視図であり、多段容器群７を３個の食品容器２に分解した状態も一緒に図示ている。なお、本実施例では、ランチボックスセット１として、３個の食品容器２を外部ケース３内に格納可能なものについて、以下説明する。
【００３３】
図１に示すように、ランチボックスセット１は、１人１食分程度の食品を携行するのに適した容量サイズを有するものであり、主に、食品を入れて持ち運べる複数の食品容器２と、これらの複数の食品容器２をまとめて格納する１つの外部ケース３とを備えており、複数の食品容器２を外部ケース３に格納したままカバンに入れて携行可能なサイズに形成されている。
【００３４】
３個の食品容器２は、平面視オーバル状（角丸長方形状）の外形を有した合成樹脂製の密閉式の食品保存用容器であり、その奥行方向（長手方向）両端部が平面視半円形状に形成されている。これらの食品容器２は、主に、有底無蓋の容器本体４と、その容器本体４の内部に設けられ食品が納められる保存空間５（図５参照。）と、その保存空間５に連通する容器本体４の開口部に着脱可能に形成される密閉蓋６とを備えている。
【００３５】
３個の食品容器２において、最上段の食品容器２（Ａ）及び中段の食品容器２（Ｂ）は、その形態及びサイズが同一に形成されている。また、最下段の食品容器２（Ｃ）は、他の食品容器２（Ａ），２（Ｂ）に対して高さが大きいことを除けば、その他の点は食品容器２（Ａ），２（Ｂ）と同一に形成されている。
【００３６】
また、これらの食品容器２は、密閉蓋６が容器本体４に比べて可撓性のある合成樹脂材料で形成されている。この密閉蓋６の下面の全周には容器本体４の周壁板４ａの上端部が嵌入される嵌入溝が凹設され、この嵌入溝内には、容器本体４の周壁板４ａの上端部が嵌入される（図５参照。）。結果、容器本体４の開口部は密閉蓋６により閉塞され、保存空間５が密閉される構造となっている（図５参照。）。
【００３７】
また、各食品容器２の密閉蓋６の上面には、容器本体４の底部が着脱可能に嵌め込まれる嵌合凹部６ａが凹設されている。このため、複数の食品容器２は、上段にある方の食品容器２の嵌合凹部６ａ内に、下段にある方の食品容器２の容器本体４の底部が嵌め込まれることにより、上下方向に多段状に積重された状態のもの（以下「多段容器群７」ともいう。）とすることができる。
【００３８】
多段容器群７は、上記した嵌合凹部６ａを介して食品容器２同士が嵌り合うことで、上下に重なる食品容器２同士が相互に水平方向にズレ動くことが規制されている。したがって、多段容器群７が後述する取出し口１０を通じて外部ケース３に出し入れされる際に、複数の食品容器２の積重状態が崩れることを防止でき、結果、複数の食品容器２をスムーズに出し入れできる。
【００３９】
外部ケース３は、多段容器群７をそのままの格好で格納するための中空箱状体であって、多段容器群７の外形に合わせて、全体として平面視オーバル状の外形を有しており、その奥行方向両端部が平面視半円形状に形成されている。また、外部ケース３は、食品容器２に比べて不撓性（撓みにくい性質）のある硬質の合成樹脂製で形成されている。
【００４０】
この外部ケース３は、主に、多段容器群７を被包するケース本体８と、このケース本体８内に設けられ多段容器群７を格納する格納空間９と、その格納空間９から多段容器群７を取り出すためにケース本体８の壁面の一部に開口形成される取出し口１０と、その取出し口１０を閉塞する開閉蓋１１と、食品容器２のガタつきを防止するガイドリブ１２とを備えている。
【００４１】
ここで、外部ケース３のケース本体８及び開閉蓋１１を不透明性又は不透光性のいずれかの性質を有する素材で形成すれば、後述するように外部ケース３内に市販食品を直接格納する場合（図７参照。）に、その内部の様子が外から覗き見られることを防止できる。なお、外部ケース３の外からその中身を伺い知ることができるように、敢えて、外部ケース３のケース本体８及び開閉蓋１１を透明性又は透光性のいずれかの性質を有する素材で形成するようにしても良い。
【００４２】
ケース本体８は、その正面部全体に取出し口１０が開口形成されており、この取出し口１０は、多段容器群７を積重状態のまま出し入れ可能な開口サイズを有している。また、この取出し口１０から多段容器群７が水平方向に挿入されることにより格納空間９内に嵌め込まれるよう、ケース体８は形成されている。
【００４３】
開閉蓋１１は、外部ケース３の正面部の壁板並びに上面部及び下面部の壁板の一部として兼用されるものである。この開閉蓋１１は、外部ケース３の正面部分を形作る中空半円柱状の外形を有している。また、開閉蓋１１は、ケース本体８の背面部、左側面部、右側面部、上面部及び下面部の壁板８ａ〜８ｅと同じ厚さの壁板が用いられている。
【００４４】
この開閉蓋１１は、取出し口１０に対向する部分に半円柱状の凹部が凹設されており、この凹部が格納空間９の一部となって、多段容器群７の前側端部を被包するようになっている。また、開閉蓋１１には、取出し口１０との対向部分であってその横幅方向両側に段差部１１ａ，１１ａが形成されている（図２参照。）。
【００４５】
これらの段差部１１ａ，１１ａは、いずれも開閉蓋１１の上端部から下端部まで連続して形成されるものであり、その上下方向中央に開閉蓋１１をケース本体８に着脱可能に係止するための係止片１１ｂ，１１ｂが１つずつ一体形成されている。
【００４６】
図２は、外部ケース３の横断面図であって、ケース本体８から開閉蓋１１を取り外した状態を示した図であり、図中の矢印は、一対の係止片１１ｂ，１１ｂが弾性変形可能な方向を示したものである。図２に示すように、開閉蓋１１には、上記した一対の係止片１１ｂ，１１ｂが形成されている。
【００４７】
一対の係止片１１ｂ，１１ｂは、互いの対向側へ向けて弾性的に撓み変形可能な可撓性を有しており、開閉蓋１１の横幅方向両側にある段差部１１ａ，１１ａの先端に１つずつ一体形成されている。これら一対の係止片１１ｂ，１１ｂによれば、互いに近接方向に撓められることで互いの間隔が狭められることにより、取出し口１０からケース本体８の左側面部及び右側面部（以下単に「左右」ともいう。）の壁板８ｂ，８ｃ間へ挿入可能となる。
【００４８】
また、各係止片１１ｂには、その先端部から開閉蓋１１の横幅方向外方へ突出される係合突起１１ｃが一体形成されている。ここで、一方の係合突起１１ｃは、ケース本体８の左側面部の壁板８ｂに貫通形成される係合穴８ｆに、他方の係合突起１１ｃは、ケース本体８の右側面部の壁板８ｃに貫通形成される係合穴８ｆに、それぞれ嵌り込み可能に形成されている。
【００４９】
上記したように、一対の係止片１１ｂ，１１ｂは、取出し口１０からケース本体８の左右の壁板８ｂ，８ｃ間へ挿入される。そして、かかる挿入時に、各係止片１１ｂの係合突起１１ｃが各係合穴８ｆにそれぞれ嵌め込まれ、開閉蓋１１がケース本体８に対して係止される。また、各係合穴８ｆは、そこに嵌め込まれるべき係合突起１１ｃの外形に適合して形成された側面視円形状（図４及び図５参照。）の貫通孔である。
【００５０】
また、各係合突起１１ｃは、各係合穴８ｆに嵌め込まれることにより、各係合穴８ｆを通じてケース本体８の外にその端面が露出される。そこで、この露出した各係合突起１１ｃの端面が指先でケース本体８の外から内方へ押し込まれると、一対の係止片１１ｂ，１１ｂが互いの近接方向に弾性変形され、各係合突起１１ｃが各係合穴８ｆから抜脱されて、ケース本体８に対する開閉蓋１１の係止状態が解除される。
【００５１】
このように係止状態を解除した上で、開閉蓋１１をケース本体８から水平に離反させて引き抜けば、開閉蓋１１がケース本体８から取り外されて、取出し口１０が開放される。また、ケース本体８には、開閉蓋１１を係止するため、上記した係合穴８ｆ，８ｆとともに、下記する切欠部８ｇ，８ｇ及びガイド溝８ｈ，８ｈが形成されている。
【００５２】
切欠部８ｇ，８ｇは、ケース本体８の左右の壁板８ｂ，８ｃの内面であって、取出し口１０側の端部にそれぞれ形成されている。切欠部８ｇ，８ｇは、開閉蓋１１の横幅方向両側にある段差部１１ａ，１１ａと合決り状態で接合されることで、開閉蓋１１をケース本体８の取出し口１０に対して位置決めするものである。
【００５３】
ガイド溝８ｈ，８ｈは、ケース本体８の左右の壁板８ｂ，８ｃの内面に凹設されている。各ガイド溝８ｈは、その底面が切欠部８ｇと面一に形成されており、切欠部８ｇから係合穴８ｆまで連通形成されている。これらのガイド溝８ｈ，８ｈは、一対の係止片１１ｃ，１１ｃがケース本体８の左右の壁板８ｂ，８ｃ間へ挿入される場合に、各係止片１１ｂの係合突起１１ｃと摺接して係合穴８ｆへと案内誘導するものである。
【００５４】
ガイドリブ１２は、最下段の食品容器２（Ｃ）が上下動してガタつくことを防止するため、ケース本体８内（格納空間９と同義。以下同じ。）に形成されている。このガイドリブ１２は、ケース本体８の背面部、左右の壁板８ａ〜８ｃの内面から凸設された凸部であり、これらの壁板８ａ〜８ｃの内面から水平方向に均一に突出されている。
【００５５】
また、ガイドリブ１２は、ケース本体８の背面部の壁板８ａに沿って半円弧状に延設される湾曲部分１２ａと、その湾曲部分１２ａの両端部に連設されケース本体８の左側面部の壁板８ｂ及び右側面部の壁板８ｃに沿って直線状に延設される直線部分１２ｂ，１２ｂとを有している。
【００５６】
このガイドリブ１２の直線部分１２ｂ，１２ｂは、格納空間９における多段容器群７の挿入方向に対する直交方向両側（図２の左右方向両側）から、格納空間９の内方へ向けてそれぞれ凸設されている。また、このガイドリブ１２の直線部分１２ｂ，１２ｂは互いの対向位置に設けられている（図３参照。）
【００５７】
また、ガイドリブ１２の直線部分１２ｂ，１２ｂは、いずれもケース本体８の左右の壁板８ｂ，８ｃにおける取出し口１０側端まで到達してはおらず、概ね、ケース本体８の左右の壁板８ｂ，８ｃにおける奥側１／３の範囲内に限って設けられている。
【００５８】
図３は、多段容器群７を格納している外部ケース３のケース本体８の正面図である。図３に示すように、ケース本体８内には、３個の食品容器２を上中下３段に積重した多段容器群７が格納されており、ケース本体８の左右の壁板８ｂ，８ｃには、上記した係合穴８ｆ、切欠部８ｇ及びガイド溝８ｈが、それぞれ形成されている。
【００５９】
ガイドリブ１２の直線部分１２ｂ，１２ｂの対向面間には、食品容器２の容器本体４の横幅以上の間隔があり、多段容器群７の中段にある食品容器２（Ｂ）の容器本体４が挟み込まれている。このため、中段の食品容器２（Ｂ）の横幅方向のガタつきが規制されており、その結果、多段容器群７全体の横幅方向のガタつきが規制されている。
【００６０】
また、ガイドリブ１２の湾曲部分１２ａ（図５参照。）及び直線部分１２ｂ，１２ｂは、その断面形状が矩形状に形成され、ケース本体８内の奥側部分において、最下段にある食品容器２（Ｃ）の密閉蓋６の上方に覆い被さるように設けられている。これによって、最下段の食品容器２（Ｃ）は、ガイドリブ１２とケース本体８の下面部の壁板８ｅとの間に挟み込まれるので、ケース本体８内で上下動してガタつくことが規制されている。
【００６１】
図４は、ランチボックスセット１の左側面図であって、外部ケース３のケース本体８から開閉蓋１１を取り外した状態を示した図であり、図５は、図４に示したランチボックスセット１の縦断面図であって、各食品容器２について部分的に断面視したものである。
【００６２】
図４及び５に示すように、各係止片１１ｂの係合突起１１ｃは、各係合穴８ｆの嵌り込み可能とするため、その係合穴８ｆの形状に適合した側面視円形状に形成されている。また、各係合片１１ｂには、その先端側から基端側へと拡幅するテーパー状に形成されており、各ガイド溝８ｈにも、係止片１１ｂのテーパー部分に適合するように係合穴８ｆ側から切欠部８ｇ側へと拡幅するテーパ状に形成されている。ガイド溝８ｈを介して係合突起１１ｃを係合穴８ｆへスムーズに案内誘導するためである。
【００６３】
ガイドリブ１２は、その直線部分１２ｂ，１２ｂが多段容器群７への挿入方向（図４及び図５の左右方向）へ向けて水平直線的かつ連続的に延設されている。最下段にある食品容器２（Ｃ）は、ガイドリブ１２とケース本体８の下面部の壁板８ｅとの間に摺動可能に挟み込まれており、かかるガイドリブ１２によって挿入方向及び反挿入方向へ向かう移動が案内誘導されるようになっている。
【００６４】
このようにガイドリブ１２による案内誘導によって、多段容器群７の出し入れ時における上下のガタつきが規制されるので、多段積重状態を保持したまま、複数の食品容器２をケース本体８内へスムーズに出し入れすることができる。
【００６５】
また、多段容器群７が外部ケース３内に嵌め込まれた場合にガタつくことを防止するため、図１及び図２に示した、格納空間９の横幅、奥行及び高さが多段容器群７に適合した大きさに形成されている。ところが、このことは、多段容器群７をケース本体８から抜き取る際に格納空間９内の負圧化を誘発して多段容器群７の抜き取りを阻む抵抗力を生み、逆に、多段容器群７をケース本体８内へ嵌め込む際に格納空間９内が正圧化を誘発して多段容器群７の嵌め込みを阻む抵抗力を生むという弊害をもたらす。
【００６６】
そこで、かかる弊害を解消するため、本実施例のランチボックスセット１では、図３及び図４に示すように、多段容器群７がケース本体８内に格納された状態で、ケース本体８内に所定幅の間隙１３が設けられるようになっている。
【００６７】
間隙１３は、各食品容器２の容器本体４の周壁板４ａとケース本体８の背面部、左側面部及び右側面部の壁板８ａ〜８ｃとの間に、各食品容器２の容器本体４の周壁板４ａをそれぞれ取り囲むように設けられている。この間隙１３は、多段容器群７をケース本体８内に出し入れする際に格納空間９（図１及び図２参照。以下同じ。）の気圧調整を行うための空気の流路となるものであり、ケース本体８から開閉蓋１１が取り外された状態のときに取出し口１０を介してケース本体８の外と連通される。
【００６８】
この間隙１３によれば、例えば、多段容器群７がケース本体８内から抜き取られる場合、当該間隙１３が通気路となってケース本体８内へ空気が流入させることができるので、多段容器群７の抜き取りに伴って格納空間９が急激に負圧化することを抑制でき、結果、多段容器群７の取り出しにより生じる抵抗力が軽減されて、多段容器群７が抜き取りやすくなる。
【００６９】
また一方で、多段容器群７がケース本体８内へ押込まれる場合には、当該間隙１３が通気路となってケース本体８内から空気を排出させることができるので、多段容器群７の押し込みに伴って格納空間９内が急激に正圧化することを抑制でき、結果、多段容器群７の押し込みにより生じる抵抗力が軽減されて、多段容器群７が嵌め込みやすくなる。
【００７０】
図６は、外部ケース３の背面図である。図６に示すように、ケース本体８の背面部の壁板８ａには、最下段の食品容器２（Ｃ）の容器本体４の周壁板４ａと対向する箇所に、格納空間９にまで貫通した円形状の貫通孔１４が穿設されている。
【００７１】
また、この貫通孔１４は、その内径が指の太さより大きく形成されており、この貫通孔１４からケース本体８内へ指を挿入可能となっている。このため、貫通孔１４内へ指を挿入することで、ケース本体８内に格納されている最下段の食品容器２（Ｃ）を取出し口１０側へ押し出すことができる。
【００７２】
しかも、この貫通孔１４は、上記した通気路となる間隙１３と同様に、ケース本体８内から多段容器群７を抜き取る場合にケース本体８内へ空気が流入する通気路にもなり、かつ、ケース本体８内へ多段容器群７を押込む場合にケース本体８内から空気を排出する通気路にもなるので、多段容器群７の出し入れに伴って格納空間９内で生じる内圧変化による抵抗力を軽減することもできる。
【００７３】
図７は、ランチボックスセット１の内部を透視した斜視図である。図７に示すように、外部ケース３の格納空間９内には、そこに最下段の食品容器２（Ｃ）のみを格納した場合、この食品容器２（Ｃ）の密閉蓋６と外部ケース３のケース本体８の天井面（上面部の壁板８ｄの内面）との間に予備空間１５が形成される。
【００７４】
予備空間１５は、市販食品などの食品容器２に収納不能なサイズの大型食品７０を格納するための空間であり、かかる予備空間１５に大型食品７０が格納されることによって、大型食品７０を、損傷させることなく、最下段の食品容器２（Ｃ）と一緒に収まり良くカバンに入れて携行できる。
【００７５】
ここで、市販食品とは、市販サイズとしての標準的なサイズが一定範囲に定まっている食品である。予備空間１５には、主食物にできる大型食品７０に属する市販食品、例えば、三角サンドイッチ、おにぎり、ホットドック、ハンバーガーなどを格納できる。なお、市販食品は外部ケース３内の汚損を防止する観点から言えば、包装済みのものであることが好ましい。
【００７６】
本実施例の予備空間１５は、大型食品７０に属する市販食品の中でも、特に、三角サンドイッチ、おにぎり、ホットドック、ハンバーガーなどの市販食品を格納するのに適した容積を有している。このため、予備空間１５の高さ及び横幅（格納空間９の横幅）は、これらの市販食品のサイズに基づいて設定されている。
【００７７】
また、この予備空間１５は、格納空間９から最上段及び中段の食品容器２（Ａ），２（Ｂ）を取り外すことで格納空間９の一部にできる空間であり、この予備空間１５の容積や高さ（天井高）は、最上段及び中段の食品容器２（Ａ），２（Ｂ）を上中２段分積重したものの容積や高さに相応したものとなる。このため、最上段及び中段の食品容器２（Ａ），２（Ｂ）の高さ及び横幅についても、市販食品のサイズに基づいて設定されることとなる。
【００７８】
ここで、市販食品の市販サイズは、その食品の属する製造販売部門において一般的又は標準的に採用されているサイズ範囲である。例えば、一般的に市販されている三角おにぎりのサイズは、一辺が１０〜１１ｃｍ程度の正三角形であり、その高さが（包装を含まず。）が概ね８〜１０程度とされている。
【００７９】
また、例えば、一般的に市販されているサイズの三角サンドイッチは、一辺が１０〜１１ｃｍ程度の正方形を対角線に沿って２分割した直角二等辺三角形のパンを用いたものであり、その短い辺を底辺とするときの高さ（包装を含まず。）が概ね１０〜１１ｃｍとされ、その長い辺を底辺とするときの高さ（包装を含まず。）が概ね７〜９ｃｍとされている。
【００８０】
よって、このような市販の三角サンドイッチ若しくは三角おにぎり又はこれらの双方を予備空間１５に格納する場合、これらの三角サンドイッチや三角おにぎりの市販サイズ及びこれらの包装体についても考慮して、予備空間１５の高さは１２〜１３ｃｍ程度とすることが好適である。
【００８１】
このようにして設けられた予備空間１５によれば、そこに格納される市販食品が比較的サイズの大きくて嵩張り、潰れやすい食品である場合であっても、外部ケース３が不撓性のある合成樹脂材料で形成されるため、ランチボックスセット１をカバンの中に入れて持ち運ぶ際に市販食品が押し潰される等して損傷することを防止できる。
【００８２】
しかも、このように予備空間１５内に市販食品を格納した場合に、最下段に格納される食品容器２（Ｃ）は、当該市販食品を載置する台座としての役割を担うが、このとき他の２つの食品容器２がなくても、上記した２つのガイドリブ１２によって食品容器２が外部ケース３内で上下動してガタつくことが防止されるので、このガタつきにより予備空間１５にある市販食品が押し潰されて損傷することを更に防止できる。
【００８３】
次に、図８から図１０参照して、上記実施例の変形例について説明する。
【００８４】
図８は、第２実施例のランチボックスセット（食品携行容器セット）の外部ケース２１の分解斜視図である。第２実施例の外部ケース２１は、第１実施例の外部ケース３に対し、ケース本体及び開閉蓋の外形を変更したものである。以下、第１実施例と同一の部分には同一の符号を付して、その説明を省略し、異なる部分のみを説明する。
【００８５】
図８に示すように、第２実施例のランチボックスセットの外部ケース２１は、多段容器群７を格納する直方体状の中空箱状体に形成されている。この外部ケース２１はケース本体２２を備えており、このケース本体２２内には、多段容器群７を格納する格納空間２３が設けられている。また、ケース本体２２には、格納空間２３から多段容器群７を取り出すため、そのケース本体２２の壁面の一部に取出し口２４が開口形成されている。
【００８６】
ケース本体２２は、その左右の壁板２２ｂ，２２ｃに、上記した係合穴８ｆ、切欠部８ｇ及びガイド溝８ｈが、それぞれ形成されている。また、ケース体２２は、その格納空間２３内に上記したガイドリブ１２が、その背面部の壁板２２ａに上記した貫通孔１４が、それぞれ形成されている。
【００８７】
また、ケース本体２２は、多段容器群７を格納空間２３に格納した状態で各食品容器２の容器本体４を取り囲むように間隙１３が形成され、かつ、最下段の食品容器２（Ｃ）のみを格納空間２３に格納した状態で大型食品７０を格納できる予備空間１５が形成されるようになっている。
【００８８】
開閉蓋２５は、ケース本体２２の取出し口２４を閉塞するものであり、外部ケース２１の正面部の壁板として兼用されるものである。この開閉蓋２５は、外部ケース２１の正面部の壁板となる平板状の部位が、ケース本体２２の背面部、左側面部、右側面部、上面部及び下面部の壁板２２ａ〜２２ｅと同じ厚さを有しており、その横幅方向両側に段差部１１ａ、係止片１１ｂ及び係合突起１１ｃが形成されている。
【００８９】
図９は、第３実施例のランチボックスセット（食品携行容器セット）の外部ケース３１の分解斜視図である。第３実施例の外部ケース３１は、第１実施例の外部ケース３に対し、主として、開閉蓋のケース本体に対する着脱構造を変更したものである。以下、第１実施例と同一の部分には同一の符号を付して、その説明を省略し、異なる部分のみを説明する。
【００９０】
図９に示すように、第３実施例のランチボックスセットの外部ケース３１は、多段容器群７を格納する平面視オーバル状の中空箱状体に形成された外部ケース３１を備えている。この外部ケース３１はケース本体３２を備えており、このケース本体３２内には、多段容器群７を被包する格納空間３３が設けられている。また、ケース本体３２には、格納空間３３から多段容器群７を取り出すため。そのケース本体３２の壁面の一部に取出し口３４が開口形成されている。
【００９１】
ケース本体３２は、その格納空間３３内に上記したガイドリブ１２が、その背面部の壁板３２ａに上記した貫通孔１４が、それぞれ形成されている。また、ケース本体３２は、多段容器群７を格納空間３３に格納した状態で各食品容器２の容器本体４を取り囲むように間隙１３が形成され、かつ、最下段の食品容器２（Ｃ）のみを格納空間３３に格納した状態で大型食品７０を格納できる予備空間１５が形成されるようになっている。
【００９２】
開閉蓋３５は、ケース本体３２の取出し口３４を閉塞するものであり、半円柱曲面状に湾曲形成された外部ケース３１の正面部の壁板と兼用されている。また、開閉蓋３５は、ケース本体３２の背面部、左側面部、右側面部、上面部及び下面部の壁板３２ａ〜３２ｅと同じ厚さを有している。
【００９３】
この開閉蓋３５は、ケース本体３２の正面部に上下方向へスライド可能に装着され、かつ、上方へ向けてスライドさせることでケース本体３２から取り外し可能にも形成されている。この開閉蓋３５のケース本体３２に対する着脱構造には、以下に説明するケース本体３２のスライド溝３２ｆと、開閉蓋３５のスライド爪３５ａとが用いられている。
【００９４】
スライド溝３２ｆ，３２ｆは、ケース本体３２の左右の壁板３２ｂ，３２ｃのそれぞれの外面であって、当該壁板３２ｂ、３２ｃの奥行方向正面部側の縁端に、ケース本体３２の上端から下端直前まで連続して凹設されている。一方、開閉蓋３５には、これらのスライド溝３２ｆに係合可能に形成されるスライド爪３５ａ，３５ａが形成されている。
【００９５】
スライド爪３５ａ，３５ａは、開閉蓋３５の横幅方向両端部からそれぞれ平面視Ｌ字状に延設されており、いずれも開閉蓋３５の上端から下端まで連続形成されている。開閉蓋３５によれば、これらのスライド爪３５ａ，３５ａをケース本体３２のスライド溝３２ｆ，３２ｆにそれぞれ係合することによって、ケース本体３２の上下方向に案内誘導されながらスライドされる。
【００９６】
なお、上記したスライド溝及びスライド爪を用いた開閉蓋のケース本体に対する着脱構造は、第２実施例に示した直方体状のランチボックスセットの外部ケースに適用しても良い。
【００９７】
図１０は、第４実施例のランチボックスセット４０の外部ケース４１の横断面図であって、ケース本体８から開閉蓋１１を取り外した状態を示した図であり、図中の矢印は、一対の係止片１１ｂ，１１ｂが弾性変形可能な方向を示したものである。図１１は、ランチボックスセット４０の左側面図であって、外部ケース４１のケース本体８から開閉蓋１１を取り外した状態を示した図であり、図１２は、図１１に示したランチボックスセット４０の縦断面図であって、各食品容器２について部分的に断面視したものである。
【００９８】
第４実施例のランチボックス４０は、第１実施例のランチボックスセット１に対し、外部ケースのガイドリブにおける各直線部分の長さを変更したものである。以下、第１実施例と同一の部分には同一の符号を付し、その説明を省略し、異なる部分のみを説明する。
【００９９】
図１０に示すように、第４実施例のランチボックスセット４０によれば、外部ケース４１は、格納空間９内にガイドリブ４２を備えている。このガイドリブ４２は、格納空間９の正面側部分を除き、多段容器群７の挿入方向（図１１及び図１２の左右方向）へ向けて、格納空間９の奥行方向に水平直線状に連続して延設されている。
【０１００】
特に、このガイドリブ４２の直線部分４２ｂ，４２ｂは、当該ガイドリブ４２の湾曲部分４２ａの湾曲方向両端部からケース本体８の取出し口１０側まで連設されており、取出し口１０近傍のごく一部を除けば、ケース本体８の左右の壁板８ｂ，８ｃの奥行方向に全体的に連続して設けられている。
【０１０１】
この直線部分４２ｂ，４２ｂは、第１実施例の直線部分１２ｂ，１２ｂに比べて格納空間９の奥行方向に長く形成されており、多段容器群７の最下段にある食品容器２（Ｃ）の密閉蓋６の横幅方向両側にある縁辺部に全体的に覆い被さるように設けられている。換言すれば、ガイドリブ４２は、格納空間９の正面側部分を除けば、最下段にある食品容器２（Ｃ）の密閉蓋６の周縁部分に全体的に覆い被さるようにされている。
【０１０２】
この第４実施例のランチボックスセット４０によれば、第１実施例のランチボックスセット１の奏する効果に加え、ガイドリブ４２の直線部分４２ｂ，４２ｂが第１実施例の直線部分１２ｂ，１２ｂに比べて延長されているので、最下段の食品容器２（Ｃ）の格納時とその出し入れ時との双方の場合に、最下段の食品容器２（Ｃ）の上下方向のガタつきと、中段の食品容器２Ｂの容器本体４の横幅方向のガタつきとを更に確実に規制できる。
【０１０３】
また、このように直線部分が４２ｂ，４２ｂが延長されたガイドリブ４２によれば、最下段にある食品容器２（Ｃ）を格納空間９に出し入れするため、当該食品容器２（Ｃ）を挿入方向及び反挿入方向へ移動させる場合に、当該食品容器２（Ｃ）を格納空間９の奥行方向に全体的に案内誘導でき、よりスムーズに多段容器群７を格納空間９内に対して出し入れできる。
【０１０４】
以上、実施例に基づき本考案を説明したが、本考案は上記実施例に何ら限定されるものではなく、本考案の趣旨を逸脱しない範囲内で材質、形状などについての種々の改良変形が可能であることは容易に推察できるものである。
【０１０５】
例えば、上記本実施例では、多段容器群７に係る複数の食品容器２の数を３個として、多段容器群７を上下３段に積重されるものとしたが、かかる多段容器群７の段数は必ずしもこれに限定されるものではなく、２段でも４段以上であっても良い。仮に、多段容器群が２個の食品容器を上下２段積重したものである場合には、予備空間は、上段側の食品容器を格納空間内から取り去ることで下段側の食品容器の上方に設けられる空間となる。
【符号の説明】
【０１０６】
１，４０                  ランチボックスセット（食品携行容器セット）
２                        食品容器
２Ｃ                      最下段の食品容器
３，２１，３１，４１      外部ケース
４                        容器本体
５                        保存空間
６                        密閉蓋
７                        多段容器群
８，２２，３２            ケース本体
８ｅ，２２ｅ，３２ｅ      下面部の壁板（ケース体の下面部壁板）
９，２３，３３            格納空間
１０，２４，３４          取出し口
１１，２５，３５          開閉蓋
１２，４２                ガイドリブ（規制部材）
１３                      間隙（通気路）
１４                      貫通孔
１５                      予備空間
７０                      大型食品
【図１】
0003158183.tif 000003
【図２】
0003158183.tif 000004
【図３】
0003158183.tif 000005
【図４】
0003158183.tif 000006
【図５】
0003158183.tif 000007
【図６】
0003158183.tif 000008
【図７】
0003158183.tif 000009
【図８】
0003158183.tif 000010
【図９】
0003158183.tif 000011
【図１０】
0003158183.tif 000012
【図１１】
0003158183.tif 000013
【図１２】
0003158183.tif 000014